(57)【要約】      （修正有）【課題】検出機能を有するリニアスケールや、壁部の外側に設けられて給送機能を有する給送ローラーなどの機能部品にインクミストが付着すると、検出機能が低下したり、給送される記録前の用紙が汚れてしまうことを防ぐことができる記録装置を提供する。【解決手段】インクを噴射する記録ヘッドを備えて往復移動するキャリッジと、記録ヘッドと対向する位置で搬送される用紙を支持する支持部１８を有する支持部材としてのフレーム３０と、支持部１８のキャリッジと反対側に空間部を形成するための壁部と、を備え、フレーム３０には、移動方向における、支持部１８の両端部に、キャリッジ側に開口し、空間部と連通する孔部５０，５１が設けられた記録装置を提供する。【選択図】図４
2016032894.tif 000002
【特許請求の範囲】
【請求項１】
インクを噴射する記録ヘッドを備えて往復移動するキャリッジと、
前記記録ヘッドと対向する位置で搬送される被記録媒体を支持する支持部を有する支持部材と、
前記支持部の前記キャリッジと反対側に空間部を形成するための壁部と、を備え、
前記支持部材には、移動方向における前記支持部の両端部または、搬送方向における両端部の少なくともいずれか一方に、前記キャリッジ側に開口し、前記空間部と連通する第１の孔部が設けられたことを特徴とする記録装置。
【請求項２】
請求項１に記載の記録装置であって、
前記キャリッジの移動方向において前記支持部と並んで配置され、前記支持部材に載置される前記記録ヘッドをメンテナンスするヘッドメンテナンス部を備え、
前記ヘッドメンテナンス部の前記キャリッジ移動方向における前記記録装置側面側には、前記キャリッジ側に開口し、前記空間部と連通する第２の孔部が設けられたことを特徴とする記録装置。
【請求項３】
請求項１または請求項２に記載の記録装置であって、
前記被記録媒体を搬送する搬送ローラーと、
前記被記録媒体の搬送方向における前記搬送ローラーの下流側に配置され、前記被記録媒体を排出する排出ローラーと、
前記支持部材の、前記搬送ローラーおよび前記排出ローラーと反対側の位置であって、前記搬送方向において前記搬送ローラーおよび前記排出ローラーの位置に空間部を形成するための壁部と、を備え、
前記支持部材には、前記空間部と連通する孔部が設けられたことを特徴とする記録装置。
【請求項４】
請求項１から請求項３のいずれか一項に記載の記録装置であって、
給送面に沿って搬送方向に前記被記録媒体を給送する給送ローラーを備え、
前記移動方向において、前記支持部の両端部に設けられた前記第１の孔部のうち、前記給送ローラーに近い方の端部に設けられた前記第１の孔部の面積は、前記給送ローラーから遠い方の端部に設けられた前記第１の孔部の面積より大きいことを特徴とする記録装置。
【請求項５】
請求項１から請求項４のいずれか一項に記載の記録装置であって、
前記壁部は、前記支持部材に立設する立設フレームを備え、
前記立設フレームには、前記空間部と連通する第３の孔部が設けられたことを特徴とする記録装置。
【請求項６】
請求項１から請求項５のいずれか一項に記載の記録装置であって、
前記壁部の内壁には、凹凸部が形成されたことを特徴とする記録装置。
【請求項７】
請求項１から請求項６のいずれか一項に記載の記録装置であって、
前記壁部の内壁には、インクミストを捕集する捕集部材が備えられたことを特徴とする記録装置。
【請求項８】
請求項７に記載の記録装置であって、
前記捕集部材は、帯電性部材であることを特徴とする記録装置。
【請求項９】
請求項１から請求項８のいずれか一項に記載の記録装置であって、
前記空間部に接して配置され、液体を吸収する液体吸収材を備えたことを特徴とする記録装置。
【発明の詳細な説明】
【技術分野】
【０００１】
本発明は、記録装置に関する。
【背景技術】
【０００２】
インクを噴射する記録ヘッドが搭載されたキャリッジを往復移動させながら、搬送する用紙などの被記録媒体に画像を形成する記録装置には、搬送する用紙を支持する支持部と、用紙の端部の外側に吐出されたインクを吸収する液体吸収材とが記録ヘッドと対向する位置に備えられたものがある。記録ヘッドから噴射されたインクが液体吸収材に到達せずにミスト化してインクミストとなって浮遊することがある。特に、画質の向上を目的として記録ヘッドから吐出されるインク滴の体積が小さくなると、空気抵抗による減速の度合いが大きくなってインクミストが生じやすくなる。例えば、特許文献１には、ケースに通気口を設けることにより、記録ヘッドの往復移動によってケース内に発生する気流の排気経路をなし、浮遊するインクミストを通気口の近傍で捕集するようにした記録装置が開示されている。
【先行技術文献】
【特許文献】
【０００３】
【特許文献１】特開２００６−２３１５８６号公報
【発明の概要】
【発明が解決しようとする課題】
【０００４】
記録装置が小型化すると、キャリッジが往復移動する移動領域と、移動領域の周囲を囲むケースやフレームなどの壁部との隙間が狭くなる。そのため、キャリッジの往復移動に伴って、移動領域内の空気を移動領域の周囲を囲む壁部の外側に押し出そうとする作用が大きくなる。このため、キャリッジの往復移動に伴って、記録ヘッド側で発生したインクミストは、用紙が給送される給送面に沿って給送ローラー側に流出し、給送ローラーの周囲に滞留する。給送ローラーの周囲に滞留していたインクミストは、給送ローラーに付着する。給送ローラーは、記録前の用紙に回転しながら当接し、用紙を記録ヘッド側に給送するものである。インクミストが付着した給送ローラーによって用紙が給送されると、給送ローラーが回転しながら当接した用紙の部分にインクが転写され、記録前の用紙が汚れてしまう。
また、壁部とキャリッジとの間に設けられてキャリッジの移動量を光学的に検出するリニアスケールにインクミストが付着しやすい。リニアスケールにインクミストが付着すると、キャリッジの位置を検出できなくなることがある。
このように、キャリッジと壁部との間に設けられて検出機能を有するリニアスケールや、壁部のキャリッジと反対側に設けられて給送機能を有する給送ローラーなどの機能部品にインクミストが付着すると、検出機能が低下したり、給送される記録前の用紙が汚れてしまうという課題がある。
【課題を解決するための手段】
【０００５】
本発明は、上述の課題の少なくとも一部を解決するためになされたものであり、以下の形態または適用例として実現することが可能である。
【０００６】
［適用例１］インクを噴射する記録ヘッドを備えて往復移動するキャリッジと、前記記録ヘッドと対向する位置で搬送される被記録媒体を支持する支持部を有する支持部材と、前記支持部の前記キャリッジと反対側に空間部を形成するための壁部と、を備え、前記支持部材には、移動方向における前記支持部の両端部または、搬送方向における両端部の少なくともいずれか一方に、前記キャリッジ側に開口し、前記空間部と連通する第１の孔部が設けられたことを特徴とする記録装置。
【０００７】
本適用例によれば、前記支持部材には、移動方向における前記支持部の両端部または、搬送方向における両端部の少なくともいずれか一方に、前記キャリッジ側に開口し、前記空間部と連通する第１の孔部が設けられる。これにより、キャリッジが往復移動する付近に浮遊するインクミストが第１の孔部を通り空間部に流れる。そのため、キャリッジの近傍に配置された機能部品にインクミストが付着することを抑制する。従って、検出機能などを有する機能部品の機能低下を抑制したり、給送機能を有する給送ローラーにインクミストが付着して記録前の用紙が汚れてしまうことを抑制できる。
【０００８】
［適用例２］前記キャリッジの移動方向において前記支持部と並んで配置され、前記支持部材に載置される前記記録ヘッドをメンテナンスするヘッドメンテナンス部を備え、前記ヘッドメンテナンス部の前記キャリッジ移動方向における前記記録装置側面側には、前記キャリッジ側に開口し、前記空間部と連通する第２の孔部が設けられたことを特徴とする上記記録装置。
【０００９】
本適用例によれば、キャリッジが往復移動する付近に浮遊するインクミストが第２の孔部を通り空間部に流れる。そのため、キャリッジの近傍に配置された機能部品にインクミストが付着することを抑制する。従って、検出機能などを有する機能部品の機能低下を抑制したり、給送機能を有する給送ローラーにインクミストが付着して記録前の被記録媒体が汚れてしまうことを抑制できる。
【００１０】
［適用例３］前記被記録媒体を搬送する搬送ローラーと、前記被記録媒体の搬送方向における前記搬送ローラーの下流側に配置され、前記被記録媒体を排出する排出ローラーと、前記支持部材の、前記搬送ローラーおよび前記排出ローラーと反対側の位置であって、前記搬送方向において前記搬送ローラーおよび前記排出ローラーの位置に空間部を形成するための壁部と、を備え、前記支持部材には、前記空間部と連通する孔部が設けられたことを特徴とする上記記録装置。
【００１１】
本適用例によれば、支持部材の、搬送ローラーおよび排出ローラーと反対側の空間領域を有効に利用し、記録装置が大型化することを抑制できる。
【００１２】
［適用例４］給送面に沿って搬送方向に前記被記録媒体を給送する給送ローラーを備え、前記移動方向において、前記支持部の両端部に設けられた前記第１の孔部のうち、前記給送ローラーに近い方の端部に設けられた前記第１の孔部の面積は、前記給送ローラーから遠い方の端部に設けられた前記第１の孔部の面積より大きいことを特徴とする上記記録装置。
【００１３】
本適用例によれば、給送ローラーに近い方の第１の孔部から空間部に流れるインクミストの量は、給送ローラーから遠い方の第１の孔部第１の孔部から空間部に流れるインクミストの量より多いので、キャリッジが往復移動する付近に浮遊するインクミストが給送ローラー側に流れ込むことを抑制する。
【００１４】
［適用例５］前記壁部は、前記支持部材に立設する立設フレームを備え、前記立設フレームには、前記空間部と連通する第３の孔部が設けられたことを特徴とする上記記録装置。
【００１５】
本適用例によれば、キャリッジが往復移動する付近に浮遊するインクミストが、さらに第３の孔部を通り空間部に流れる。そのため、キャリッジの近傍に配置された機能部品にインクミストが付着することが抑制される。
【００１６】
［適用例６］前記壁部の内壁には、凹凸部が形成されたことを特徴とする上記記録装置。
【００１７】
本適用例によれば、内壁の表面積を大きくできるので、捕集されるインクミストの量が多くなる。
【００１８】
［適用例７］前記壁部の内壁には、インクミストを捕集する捕集部材が備えられたことを特徴とする上記記録装置。
【００１９】
本適用例によれば、空間部内に浮遊するインクミストの量を少なくできる。これにより、空間部からキャリッジ側にインクミストが戻ることを抑制できる。
【００２０】
［適用例８］前記捕集部材は、帯電性部材であることを特徴とする上記記録装置。
【００２１】
本適用例によれば、捕集されるインクミストの量が多くなる。
【００２２】
［適用例９］前記空間部に接して配置され、液体を吸収する液体吸収材を備えたことを特徴とする上記記録装置。
【００２３】
本適用例によれば、空間部内に浮遊するインクミストの量を少なくできる。これにより、空間部からキャリッジ側にインクミストが戻ることを抑制できる。
【図面の簡単な説明】
【００２４】
【図１】記録装置の外観斜視図。
【図２】上部カバーを開いた状態における記録装置の外観斜視図。
【図３】上側壁部を取り外した状態における正面側から見た記録装置の外観斜視図。
【図４】筐体を取り外した状態における背面側から見た記録装置の斜視図。
【図５】給送ローラーが備えられた位置における側断面図。
【図６】筐体内部の平面図。
【図７】筐体内部の断面図。
【図８】筐体内部の断面図。
【図９】記録装置の概略構成を示す図。
【図１０】実施形態２における空間部の内壁に形成された凹凸部を示す図。
【図１１】（ａ）、（ｂ）は、空間部の内壁に形成された凹凸部を示す図、（ｃ）は、実施形態３における空間部の内壁に備えられた導電性部材を示す図。
【発明を実施するための形態】
【００２５】
以下、記録装置の実施形態について、図面に従って説明する。
（実施形態１）
図１は、記録装置の一例であるインクジェット式プリンター（以降は、プリンターという）１の外観斜視図である。図２は、上部カバー５を開いた状態でのプリンター１の外観斜視図である。
【００２６】
図１の上部カバー５は、筐体２に対して開閉可能に備えられ、図２の上部カバー５を開くと、電源ボタンや各種操作ボタン等を備える操作パネル６、各種表示を行うチルト可能な表示パネル７、筐体２の上側壁部２ａ、用紙給紙口８が露呈する。操作パネル６、表示パネル７は、上側壁部２ａに備えられる。
【００２７】
上部カバー５は、開いた状態において用紙給紙口８にセットされる用紙（不図示）を内側の載置面５ａによって傾斜姿勢に支持する。図１の排紙口カバー４は、筐体２の正面側（搬送方向すなわち副走査方向Ｙの下流側）に、回動可能に備えられ、図２の排紙口カバー４を開くことにより、用紙排出口９が開放される。排紙口カバー４は、開いた状態において用紙排出口９から排出される用紙を支持するトレイとして機能する。
【００２８】
筐体２は、鉛直方向Ｚの上面を形成する上側壁部２ａ、主走査方向Ｘの側面を形成する側面壁部２ｂ，２ｃ、正面側の面を形成する正面壁部２ｄ，２ｅ，２ｆ、背面側（搬送方向すなわち副走査方向Ｙの上流側）の面を形成する背面壁部２ｇを含んで構成される。正面壁部２ｄ，２ｅ，２ｆのうちの主走査方向Ｘの中央部に設けられた正面壁部２ｅは、排紙口カバー４が閉じた状態では露出せず、排紙口カバー４が開いた状態で露出する。
【００２９】
図３は、操作パネル６、表示パネル７とともに上側壁部２ａを取り外した状態において、正面側から見たプリンター１の外観斜視図である。用紙給紙口８の下流側には、主走査方向Ｘに延在し、鉛直方向Ｚに立設する中間フレーム１６が設けられる。中間フレーム１６には、主走査方向Ｘにおける、図面左側の端部のローラー１５と図面右側の端部のローラー（不図示）とが備えられ、これらのローラーに無端ベルト１３が巻き掛けられる。
【００３０】
キャリッジ１１は、主走査方向Ｘに延在するガイドレール１９に沿って主走査方向Ｘに往復移動可能に備えられる。キャリッジ１１の鉛直方向Ｚの下側（以降、上側、下側、上方、下方、上部、下部は、鉛直方向Ｚにおける方向、部位をいう）には、インクを噴射する記録ヘッド１２が備えられる。
【００３１】
ローラー１５は、キャリッジ駆動用モーター１４の回転軸と直結されて備えられ、キャリッジ駆動用モーター１４の回転駆動により、無端ベルト１３が回転し、背面側が無端ベルト１３に固定されたキャリッジ１１は、主走査方向Ｘに往復移動する。
【００３２】
キャリッジ１１には、記録ヘッド１２に供給されるインクが収容されたインクカートリッジ１０が搭載される、本実施形態では、キャリッジ１１にインクカートリッジ１０が搭載される、所謂オンキャリッジタイプであるが、インクカートリッジがキャリッジ１１から独立して設けられ、インクカートリッジと記録ヘッド１２とがインクチューブで接続された、所謂オフキャリッジタイプであっても良い。
【００３３】
記録ヘッド１２の下側には、主走査方向Ｘにおいて記録ヘッド１２が往復移動する範囲に、搬送される用紙を支持する支持部１８が設けられる。
【００３４】
筐体２の内部には、キャリッジ１１が往復移動する空間領域である移動領域Ａが形成される。移動領域Ａは、搬送方向においては、中間フレーム１６、正面壁部２ｄ，２ｅ，２ｆによって囲まれ、主走査方向Ｘにおいては、側面壁部２ｂ，２ｃによって囲まれ、鉛直方向Ｚにおいては、支持部１８、上側壁部２ａによって囲まれる領域である。すなわち、中間フレーム１６、正面壁部２ｄ，２ｅ，２ｆ、側面壁部２ｂ，２ｃ、支持部１８、上側壁部２ａは、移動領域Ａの周囲を構成する。
【００３５】
中間フレーム１６の下流側には、リニアエンコーダー１７が備えられる。リニアエンコーダー１７には、ストライプ（不図示）が描かれており、キャリッジ１１の背面側に設けられた光学式の検出部（不図示）がリニアエンコーダー１７に描かれたストライプを検出することにより、プリンター１は、キャリッジ１１の移動量を検出し、キャリッジ１１の主走査方向Ｘにおける位置を検出する。
【００３６】
図４は、筐体２を取り外した状態において、プリンター１を背面側から見た斜視図である。尚、図４には、キャリッジ１１は図示していない。正面側フレーム２３は、鉛直方向Ｚに立設し、正面側フレーム２４は、正面側フレーム２３の上部から背面側に延びる面を有し、主走査方向Ｘに延在する。正面側フレーム２３，２４は、正面壁部２ｄ，２ｅ，２ｆとキャリッジ１１の移動領域Ａとの間に設けられる。
【００３７】
図２、図３の用紙給紙口８にセットされた複数枚の用紙（不図示）は、ホッパー３と、図２の開いた状態の上部カバー５の載置面５ａとによって傾斜姿勢に支持される。図４のホッパー３は、揺動可能に備えられ、給送ローラー２０に対して進退可能である。
【００３８】
矢印で示した範囲Ｂには、液体吸収材６１と、液体吸収材６１から上方に突出し、副走査方向Ｙに延びる複数のリブ６０が配置される。支持部１８は、複数のリブ６０によって構成される。リブ６０の上端部は、下流側に搬送される用紙を下側から支持する。
【００３９】
用紙の端部にインクを噴射して所謂縁なし印刷を行うとき、記録ヘッド１２から噴射されて用紙の端部の外側に打ち捨てられるインクは、液体吸収材６１に到達して吸収される。
【００４０】
図４のリブ６０、液体吸収材６１は、上側壁部２ａ（図２参照）と対向して主走査方向Ｘに延在するフレーム３０に支持される。フレーム３０の主走査方向Ｘにおける支持部１８の図面右側には、キャリッジ１１側に開口しフレーム３０を貫通する複数の孔部５０が形成される。孔部５０は、副走査方向Ｙに長く延びる形状を有し、副走査方向Ｙに直列に３個並ぶ列が主走査方向Ｘに並列に３列並び、合計９個形成される。
【００４１】
また、フレーム３０の主走査方向Ｘにおける支持部１８の図面左側には、キャリッジ１１側に開口しフレーム３０を貫通する孔部５１が形成される。孔部５１は、副走査方向Ｙに長く延びる形状を有し、副走査方向Ｙに直列に３個並んで形成される。
【００４２】
図５は、主走査方向Ｘから見た図で、図４の給送ローラー２０が備えられた位置における側断面図である。給送ローラー２０は、外周面２０ａと平坦部２０ｂとを有し、主走査方向Ｘから見た形状が、円筒状の外周面の一部が切り欠かれたＤ型形状の給送ローラーである。
【００４３】
給送ローラー２０と対向する位置には、リタードローラー２１が備えられる。ホッパー３が給送ローラー２０に接近した状態では、給送ローラー２０は、ホッパー３に載置された複数の用紙のうち、給送ローラー２０に対して最上位の用紙を下流側へ搬送することができる。リタードローラー２１は、回転するために所定の負荷を必要とする。これにより、複数枚の用紙が給送ローラー２０によって送られそうになったとき、次位以降の余分な用紙を最上位の用紙から分離することができる。
【００４４】
回転する給送ローラー２０とリタードローラー２１とによって挟持された用紙は、給送ローラー２０の下流側に設けられた案内壁部２７の給送面２７ａに沿って下流側に給送される。このとき、用紙は、給送ローラー２０の外周面２０ａに当接した状態で挟持される。
【００４５】
給送ローラー２０が設けられた領域は、キャリッジ１１の移動領域Ａより小さく構成されている。そのため、インクミストが、給送ローラー２０が設けられた領域に入り込むと濃度が高くなる。さらに、用紙を給送する給送ローラー２０には、用紙との接触により、静電気が溜り、インクミストが集まりやすい構造になっている。
【００４６】
給送ローラー２０の下流側には搬送駆動ローラー２５と搬送従動ローラー２６とを備えた用紙搬送手段が設けられており、この搬送ローラー対によって用紙は、破線で示した記録ヘッド１２と対向する支持部１８の位置に搬送される。
【００４７】
支持部１８の下流側には排出駆動ローラー４０と排出従動ローラー４１とを備えた用紙排出手段が設けられており、この排出ローラー対によって記録の行われた用紙が排出される。排出駆動ローラー４０の上流側には、用紙が記録ヘッド１２側に浮くことを規制する規制ローラー４２が備えられる。
【００４８】
破線Ａは、記録ヘッド１２を備えて主走査方向Ｘに往復移動するキャリッジ１１を示す。また、破線Ａは、主走査方向Ｘから見た、記録ヘッド１２を含むキャリッジ１１の移動領域Ａ（図３参照）を示す。
【００４９】
図６は、上側壁部２ａを取り除き、筐体２の内部を上側から見た平面図である。図６には、キャリッジ１１を図示していない。前述したように、フレーム３０における支持部１８の図面左側には、９個の孔部５０が設けられ、フレーム３０における支持部１８の図面右側には、３個の孔部５１が設けられる。
【００５０】
また、ヘッドメンテナンス部７０の図面右側には、副走査方向Ｙに長く延びる形状を有してキャリッジ１１側に開口し、フレーム３０を貫通する１個の孔部５２が設けられる。
【００５１】
ヘッドメンテナンス部７０は、主走査方向Ｘにおける範囲Ｃに設けられ、記録ヘッド１２のノズル形成面（不図示）を吸引可能なキャップ（不図示）や、ノズル形成面をワイピングするワイパー（不図示）を、ノズル形成面に対して離間可能な移動機構（不図示）を備え、ノズルのクリーニングなどのヘッドのメンテナンスを行う。
【００５２】
図７は、図６の断面位置Ｄ−Ｄ´において下流側から見た断面図である。支持部１８を支持するフレーム３０の下方には、液体吸収材６３が備えられる。接続部６２は、液体吸収材６１，６３と同じ部材で構成されたもので、上部が液体吸収材６１と接続され、下部が液体吸収材６３と接続される。液体吸収材６１に吸収されたインクは、接続部６２を介して流れ、液体吸収材６３に吸収される。
【００５３】
空間部７１は、主走査方向Ｘにおける範囲Ｈに設けられた空間領域である。空間部７１を構成する壁部は、上側の壁部を形成するフレーム３０、主走査方向Ｘの側壁部を形成するフレーム３１，３２を含んで構成される。また、空間部７１を構成する壁部には、副走査方向Ｙにおける側壁部（不図示）を含む。空間部７１の下側は、液体吸収材６３に接して構成される。
【００５４】
図７に示すように、孔部５０は、空間部７１の上側の壁部を形成するフレーム３０を貫通する。これにより、記録ヘッド１２からインクが噴射されたときに、液体吸収材６１に到達せずにミスト化し、支持部１８の上方を浮遊するインクミストは、孔部５０を通り空間部７１に流れ込むことができる。
【００５５】
図８（ａ）は、図６の断面位置Ｅ−Ｅ´において主走査方向Ｘの図面左側から見た断面図である。図７のフレーム３１は、支持部１８の側面壁部２ｂ側に設けられ、フレーム３０から下方に立設し、筐体２の底壁２ｈに固定される。
【００５６】
図８（ａ）のフレーム３１には、フレーム３１を貫通し、空間部７１と連通する孔部８０が３個形成される。フレーム３１は、側面壁部２ｂから内側に離れた位置に設けられ、フレーム３１と側面壁部２ｂとの間における孔部８０より上側は開放されている。すなわち、孔部８０を介して、空間部７１とキャリッジ１１の移動領域Ａ（図５参照）とが連通する。
【００５７】
これにより、記録ヘッド１２からインクが噴射されたときにミスト化して支持部１８の上方を浮遊するインクミストは、フレーム３１と側面壁部２ｂとの間を下方に流れ、孔部８０を通り、空間部７１に流れ込む。
【００５８】
図８（ｂ）は、図６の断面位置Ｆ−Ｆ´において主走査方向Ｘの図面右側から見た断面図である。図７のフレーム３２は、支持部１８とヘッドメンテナンス部７０との間に設けられ、フレーム３０から下方に立設し、筐体２の底壁２ｈに固定される。
【００５９】
図８（ｂ）のフレーム３２には、フレーム３２を貫通し、空間部７１と連通する孔部８１が２個形成される。主走査方向Ｘにおいてフレーム３２とヘッドメンテナンス部７０との間に隙間が設けられ、この隙間の孔部８１より上側は開放されている。すなわち、孔部８１を介して、空間部７１とキャリッジ１１の移動領域Ａとが連通する。
【００６０】
これにより、記録ヘッド１２からインクが噴射されたときにミスト化して支持部１８の上方を浮遊するインクミストは、フレーム３２とヘッドメンテナンス部７０との間の隙間を下方に流れ、孔部８１を通り、空間部７１に流れ込む。
【００６１】
図８（ｃ）は、図６の断面位置Ｇ−Ｇ´において主走査方向Ｘの図面右側から見た断面図である。図７のフレーム３３は、支持部１８の側面壁部２ｃ側に設けられ、フレーム３０から下方に立設し、筐体２の底壁２ｈに固定される。
【００６２】
図８（ｃ）のフレーム３３には、フレーム３３を貫通し、空間部７１と連通する孔部８２が２個形成される。フレーム３３は、側面壁部２ｃから内側に離れた位置に設けられ、フレーム３３と側面壁部２ｃとの間における孔部８２より上方は開放されている。すなわち、孔部８２を介して、空間部７１とキャリッジ１１の移動領域Ａとが連通する。
【００６３】
これにより、記録ヘッド１２からインクが噴射されたときにミスト化して支持部１８の上方を浮遊するインクミストは、フレーム３３と側面壁部２ｃとの間を下方に流れ、孔部８２を通り、空間部７１に流れ込む。
【００６４】
図９は、主走査方向Ｘから見た図で、プリンター１の概略構成を示す図である。前述したように、ホッパー３に載置された複数の用紙（不図示）のうちの最上位の用紙が給送ローラー２０とリタードローラー２１に挟持され、中間フレーム１６の下方に設けられた案内壁部２７の給送面２７ａに沿って下流側に給送される。給送された用紙は、搬送駆動ローラー２５と搬送従動ローラー２６に挟持され支持部１８に沿って下流側に搬送されながら、往復移動するキャリッジ１１に備えられた記録ヘッド１２からインクが噴射されて用紙に画像が記録される。画像が記録された用紙は、排出駆動ローラー４０と排出従動ローラー４１に挟持されて排出される。
【００６５】
本実施形態のプリンター１には、空間部７１の上流側の搬送駆動ローラー２５の下方に空間部７２が設けられる。空間部７２は、搬送駆動ローラー２５の軸方向に沿って主走査方向Ｘに延びて形成される。空間部７２は、フレーム３０の上流側端部に設けられた壁部７２２によって囲まれた空間領域で、搬送方向における支持部１８の上流側に形成される。
【００６６】
空間部７１，７２の下側は液体吸収材６３が接して備えられ、空間部７１，７２内を浮遊するインクミストが液体吸収材６３に付着し液体として吸収される。空間部７２は、孔部７２１によって空間部７１と連通し、空間部７１を浮遊するインクミストのうち、孔部７２１を通り空間部７２に流れるものがある。
【００６７】
また、空間部７１の下流側の排出駆動ローラー４０の下方に空間部７３が設けられる。空間部７３は、排出駆動ローラー４０の軸方向に沿って主走査方向Ｘに延びて形成される。空間部７３は、フレーム３０の下流側端部に設けられた壁部７３２によって囲まれた空間領域で、搬送方向における支持部１８の下流側に形成される。空間部７１の空間部７３側には孔部７１１が設けられ、空間部７３には、下方に開口する孔部７３１が設けられる。空間部７１は、孔部７１１，７３１によって空間部７２と連通し、空間部７１を浮遊するインクミストは、孔部７１１，７３１を通り空間部７３に流れるものがある。
【００６８】
このように、記録ヘッド１２からインクが噴射されたときにミスト化し、フレーム３０のキャリッジ１１側を浮遊するインクミストは、フレーム３０に形成された孔部５０，５１，５２を通って空間部７１に流れ込む。空間部７１に流れ込んだインクミストは、液体吸収材６３に付着して吸収されたり、空間部７２，７３に流れ込んだりする。
【００６９】
以上、本実施形態で説明した図３のプリンター１は、インクを噴射する記録ヘッド１２を備えて往復移動するキャリッジ１１と、記録ヘッド１２と対向する位置で搬送される用紙を支持する支持部１８を有する支持部材としてのフレーム３０と、支持部１８のキャリッジ１１と反対側に空間部７１を形成するための壁部（フレーム３０，３１，３２を含む）と、を備え、フレーム３０には、移動方向における支持部１８の両端部に、キャリッジ１１側に開口し、空間部７１と連通する第１の孔部としての孔部５０，５１が設けられる。
【００７０】
この構成により、キャリッジ１１が往復移動する付近に浮遊するインクミストが孔部５０，５１を通り空間部７１に流れる。そのため、キャリッジ１１の近傍に配置された、リニアエンコーダー１７や給送ローラー２０などの機能部品にインクミストが付着することが抑制される。従って、リニアエンコーダー１７の検出機能の低下を抑制したり、給送機能を有する給送ローラー２０にインクミストが付着して記録前の用紙が汚れてしまうことを抑制できる。
【００７１】
孔部５０，５１が移動方向における支持部１８の両端部に設けられたことにより、キャリッジ１１の主走査方向Ｘの往復移動に伴って、移動方向における支持部１８の両外側に向かってインクミストが流れ、孔部５０，５１を通り空間部７１に流れる。そのため、孔部が移動方向における支持部１８の片側の端部のみに設けられている場合と比べると、空間部７１に流れるインクミストの量が多い。
【００７２】
図９の壁部７２２，７３２の両方または一方の上部に、キャリッジ１１側に開口し、空間部７１と連通する孔部（第１の孔部）を設けてもよい。これにより、キャリッジ１１が往復移動する付近に浮遊するインクミストが、壁部７２２，７３２の両方または一方に形成された孔部を通り空間部７１に流れる。
【００７３】
また、図６のキャリッジ１１の移動方向において支持部１８と並んで配置され、フレーム３０に載置される記録ヘッド１２をメンテナンスするヘッドメンテナンス部７０を備え、ヘッドメンテナンス部７０のキャリッジ１１の移動方向におけるプリンター１の側面側（側面壁部２ｃ側）には、キャリッジ１１側に開口し、空間部７１と連通する第２の孔部としての孔部５２が設けられる。
【００７４】
この構成により、キャリッジ１１が往復移動する付近に浮遊するインクミストが孔部５２を通り空間部７１に流れる。
【００７５】
また、図７の空間部７１を形成する壁部は、フレーム３０に対して鉛直方向Ｚに立設する立設フレームとしてのフレーム３１，３２，３３を備え、フレーム３１，３２，３３には、空間部７１と連通する第３の孔部としての、図８（ａ）の孔部８０、図８（ｂ）の孔部８１、図８（ｃ）の孔部８２がそれぞれ設けられる。
【００７６】
この構成により、キャリッジ１１が往復移動する付近に浮遊するインクミストが、さらに孔部８０，８１，８２を通り空間部７１に流れる。そのため、キャリッジ１１の近傍に配置されたリニアエンコーダー１７や給送ローラー２０などの機能部品にインクミストが付着することが抑制される。
【００７７】
また、空間部７１に接して配置され、液体を吸収する液体吸収材６３を備える。これにより、空間部７１内に浮遊するインクミストを液体として捕集できる。これにより、空間部７１からキャリッジ側にインクミストが浮遊して戻ることを抑制できる。
【００７８】
また、図９の用紙を搬送する搬送ローラーとしての搬送駆動ローラー２５と、用紙の搬送方向における搬送駆動ローラー２５の下流側に配置され、用紙を排出する排出ローラーとしての排出駆動ローラー４０と、フレーム３０の、搬送駆動ローラー２５および排出駆動ローラー４０と反対側の位置であって、搬送駆動ローラー２５および排出駆動ローラー４０の位置に空間部７２，７３を形成するための壁部７２２，７３２と、を備え、フレーム３０には、空間部７１と連通する孔部７１１，７２１，７３１が設けられる。
【００７９】
これにより、フレーム３０の、搬送駆動ローラー２５および排出駆動ローラー４０と反対側の空間領域を有効に利用し、プリンター１が大型化することを抑制できる。
【００８０】
本実施形態では、搬送駆動ローラー２５および排出駆動ローラー４０の下方に空間部７２，７３を設けたが、搬送駆動ローラー２５および排出駆動ローラー４０のうちの少なくとも一方の位置に空間部を設けてもよい。
【００８１】
また、支持部１８の両端部に設けられた９個の孔部５０と３個の孔部５１のうち、移動方向において、給送ローラー２０に近い方の端部に設けられた９個の孔部５０の総面積は、給送ローラー２０から遠い方の端部に設けられた孔部５１の総面積より大きい。これにより、孔部５０から空間部７１に流れるインクミストの量は、孔部５１から空間部７１に流れるインクミストの量より多いので、キャリッジ１１が往復移動する付近に浮遊するインクミストが給送ローラー２０側に流れ込むことを抑制する。
【００８２】
（実施形態２）
実施形態２では、空間部の内壁に凹凸部を設けたプリンターについて説明する。図１０（ａ）は、主走査方向Ｘから見た図で、上壁９１、側壁９２の内壁に凹凸部としてのリブ９５を備えた空間部７１ａを示す図である。
【００８３】
空間部７１ａは、底壁９３に支持された液体吸収材６３の上側に設けられ、側壁９２と上壁９１を含む壁部によって囲まれる空間領域である。実施形態１と同様に、空間部７１ａは、図７の支持部１８とヘッドメンテナンス部７０とを支持するフレーム３０のキャリッジ１１と反対側に設けられた空間領域である。
【００８４】
また、実施形態１と同様に、空間部７１ａの上側に位置するフレーム３０には、キャリッジ１１側に開口しフレーム３０を貫通する孔部５０，５１が支持部１８の主走査方向Ｘの両側に設けられ、ヘッドメンテナンス部７０の支持部１８と反対側にキャリッジ１１側に開口しフレーム３０を貫通する孔部５２が設けられる。
【００８５】
図１０（ｂ）は、リブ９５の一部を示す斜視図である。リブ９５は、空間部７１ａを構成する側壁９２、上壁９１の内壁において複数並んで延在する。これにより、側壁９２、上壁９１の内壁に凸９５ａと凹部９５ｂとが形成される。
【００８６】
このように、空間部７１ａを構成する側壁９２、上壁９１の内壁に凹凸部を形成することにより、内壁の表面積が増加し、空間部７１ａ内を浮遊するインクミストが内壁に付着する量が増加する。すなわち、捕集されるインクミストの量が多くなる。
【００８７】
リブ９５は主走査方向Ｘに延在し、主走査方向Ｘに並ぶ孔部５０，５１，５２から空間部７１ａに侵入するインクミストが主走査方向Ｘに流れる。これにより、インクミストが空間部７１ａの内側に向かって流れる効果が増す。実施形態２のプリンターのその他の構成は、実施形態１で説明した構成と同じである。
【００８８】
図１１（ａ）、（ｂ）は、空間部の内壁に形成されたその他の凹凸部の断面を示す図である。図１１（ａ）に示すように、上壁９１、側壁９２の内壁に円弧状に突出する凸部９６ａと、隣接する凸部９６ａの間に形成された凹部９６ｂとによって凹凸部を形成してもよい。また、図１１（ｂ）に示すように、上壁９１、側壁９２の内壁に円弧状に窪む凹部９７ｂと、隣接する凹部９７ｂの間に形成された凸９７ａとによって凹凸部を形成してもよい。
【００８９】
（実施形態３）
実施形態３では、空間部を形成する内壁に捕集部材としての帯電性部材を備えたプリンターについて説明する。図１１（ｃ）は、主走査方向Ｘから見た図で、本実施形態における空間部７１ｂの内壁に備えられた帯電性部材９８を示す図である。
【００９０】
液体吸収材６３は、底壁９３に支持されて備えられる。空間部７１ｂは、液体吸収材６３に接して、液体吸収材６３の上側に形成される。空間部７１ｂを形成する上壁９１、側壁９２の内壁には、インクミストを捕集する捕集部材としての帯電性部材９８が備えられる。
【００９１】
帯電性部材９８は、インクミストと反対の極性に帯電する布状の部材である。この布状の部材を上壁９１、側壁９２の内壁に張り付けて備えられる。これにより、空間部７１ｂ内を浮遊するインクミストを捕集することができる。実施形態３のプリンターのその他の構成は、実施形態１で説明した構成と同じである。
【符号の説明】
【００９２】
１…インクジェット式プリンター、１１…キャリッジ、１２…記録ヘッド、１８…支持部、２５…搬送駆動ローラー、２６…搬送従動ローラー、３０，３１，３２，３３…フレーム、４０…排出駆動ローラー、４１…排出従動ローラー、５０，５１，５２，８０，８１，８２…孔部、６０…リブ、６３…液体吸収材、７０…ヘッドメンテナンス部、７１，７１ａ，７１ｂ，７２，７３…空間部、９５…リブ、９５ａ，９６ａ，９７ａ…凸部、９５ｂ，９６ｂ，９７ｂ…凹部、９８…帯電性部材、Ｘ…主走査方向（キャリッジの移動方向）、Ｙ…副走査方向（被記録媒体の搬送方向）、Ｚ…鉛直方向。
【図１】
2016032894.tif 000003
【図２】
2016032894.tif 000004
【図３】
2016032894.tif 000005
【図４】
2016032894.tif 000006
【図５】
2016032894.tif 000007
【図６】
2016032894.tif 000008
【図７】
2016032894.tif 000009
【図８】
2016032894.tif 000010
【図９】
2016032894.tif 000011
【図１０】
2016032894.tif 000012
【図１１】
2016032894.tif 000013